(57)【要約】保護カバーは光ディスク（１０）の読み出し側面を保護し、その保護カバーは実質的に平坦で透明なボディ（２１）及びセンター・ホール（２３）を含み、外側端及びほぼ平坦な環状表面（２４）は外側端とセンター・ホールとの間に広がる。周辺係合構造は、光ディスクの外側端を係合するために平坦なボディを完全に包囲する外側端に結合される。
2005531878.tif 000002
【特許請求の範囲】
【請求項１】
光ディスクの読み取り側面を保護するための保護カバーにおいて、
透明であり、センター・ホール、外側端、および  前記外側端と前記センター・ホールとの間に広がるほぼ平坦な環状表面を有する実質的に平坦なボディと、
前記光ディスクの前記外側端に結合され、前記光ディスクの前記外側端と係合するためにほぼ完全に前記平坦なボディを包囲する周辺係合構造と、
を含むことを特徴とする保護カバー。
【請求項２】
前記係合構造は、ボディの周辺にほぼ完全に広がる実質的に直立した側壁を含み、内方へ放射状に向かうリップで終了することを特徴とする請求項１記載の保護カバー。
【請求項３】
前記係合構造は、ボディの周辺にほぼ完全に広がるほぼ柔軟な側壁を含み、前記側壁は内方へ放射状に傾いていることを特徴とする請求項１記載の保護カバー。
【請求項４】
前記直立した側壁は、前記ボディの前記外側端に固定的に取り付けられることを特徴とする請求項２記載の保護カバー。
【請求項５】
前記側壁は、一体的な形成、オーバモールド、接合、および溶接の１つによって固定的に取り付けられる請求項４記載の保護カバー。
【請求項６】
前記係合構造は、前記側壁のベースから内方へ放射状に伸びるフランジをさらに含み、前記ボディは前記フランジを担持することを特徴とする請求項２記載の保護カバー。
【請求項７】
ディスクの様々な直径の突起リングを受け入れるのに十分な幅を有する前記ボディ中に形成された溝をさらに含むことを特徴とする請求項１記載の保護カバー。
【請求項８】
光ディスクの読み取り側面を保護するための保護カバーにおいて、
センター・ホール、外側端、および、前記外側端と前記センター・ホールとの間に広がるほぼ平坦な環状表面を有するほぼ平坦なボディと、
前記ボディに担持され、前記ボディの前記外側端の周囲に実質的に完全に伸びる実質的に直立した側壁を含む周辺係合構造と、
を含むことを特徴とする保護カバー。
【請求項９】
前記周辺係合構造は、内方へ放射状に向かうリップで終了する実質的に直立した前記側壁をさらに含むことを特徴とする請求項８記載の保護カバー。
【請求項１０】
前記周辺係合構造は、前記ボディを包囲し、前記外側端の近接から内方へ放射状に広がる環状表面によって担持された粘着性リングをさらに含むことを特徴とする請求項８記載の保護カバー。
【請求項１１】
前記周辺係合構造は、前記ボディを包囲し、かつ前記センター・ホールに近接し外方へ放射状に広がる環状表面によって担持された粘着性リングをさらに含むことを特徴とする請求項８記載の保護カバー。
【請求項１２】
外側端と、
センター・ホールと、
前記外側端と前記センター・ホールとの間に読み取り可能部分を有する表面と、
前記センター・ホールと前記読み取り可能部分との間の前記表面から突き出た突起リングと、
前記表面を除去可能にカバーする保護カバーと、を含み、前記保護カバーは、
センター・ホール、外側端、および、前記外側端と前記センター・ホールとの間に広がるほぼ平坦な環状表面を有し、前記ディスクの前記表面に対応しかつそれをカバーするほぼ平坦なボディ、および
前記ボディによって担持され、前記ディスクに係合する周辺係合構造からなる、
ことを特徴とする光ディスク。
【請求項１３】
前記保護カバーは、前記環状表面の近くに形成され、かつセンター・ホールを包囲するとともに、様々な直径の突起リングを受け入れるのに十分な幅を有する溝をさらに含むことを特徴とする請求項１２記載の光ディスク。
【請求項１４】
前記周辺係合構造は、前記ボディの外側端によって担持され、前記ボディに対してほぼ直立した側壁を含み、前記側壁は前記ボディの全周囲にほぼ伸びる、内方へ放射状に向かうリップで終了することを特徴とする請求項１２記載の光ディスク。
【請求項１５】
前記側壁は、前記ディスクの厚さと実質的に同一の高さであることを特徴とする請求項１４記載の光ディスク。
【請求項１６】
前記直立した側壁は、前記ボディの前記外側端に固定して取り付けられることを特徴とする請求項１４記載の光ディスク。
【請求項１７】
前記側壁は、一体的な形成、オーバモールド、接合、および溶接の１つによって固定的に取り付けられる請求項１６記載の光ディスク。
【請求項１８】
前記係合構造は、前記側壁のベースから内方へ放射状に広がるフランジをさらに含み、前記ボディは前記フランジを担持することを特徴とする請求項１４記載の光ディスク。
【請求項１９】
前記周辺係合構造は、前記ボディを包囲し、前記外側端の近くから前記読み取り可能部分に近接した位置へ内方へ放射状に広がる環状表面によって担持された粘着性リングをさらに含むことを請求項１２記載の光ディスク。
【発明の詳細な説明】
【技術分野】
【０００１】
本発明は、データ格納装置に関し、さらに詳しくは、本発明は、データ格納装置の保護に関する。より特定された側面では、本発明は、光学的読み取りディスクのための保護カバーに関する。
【背景技術】
【０００２】
光学的に読み取られるディスクは、デジタル・データをその下部表面に微視的なピット（窪み）形状を形成して格納する。これらのディスクは、ＣＤ、ＣＤ−ＲＯＭ、ＣＤ−ＲＷ、ＤＶＤなどを含む。コード化されたデータは、ディスク底部表面全体に形成された透明な保護表面を透過して一般に放射されるレーザを使用して読み取られる。保護表面の損傷あるいは汚染により、読み取りデータが歪むことがある。
【０００３】
ディスクへの損傷を防止するために、保護カバーが開発された。保護カバーの多くは、そのディスクを読み取る前に、取り除かなければならない。これは本質的に不便であり、読み取り装置への装着に先立って、無駄な時間を与え、損傷を生じさせるおそれがある。この問題を克服するために、ディスクの読み取りの際に適切に保持されるように意図されるカバーが開発された。これは望ましいゴールである一方、その保護カバーは多くの問題を有している。
【０００４】
例として、先行技術におけるカバーは、ディスクの外側端（エッジ）を受け入れて噛み合わせるために、その周囲に間隔をあけて配置されたいくつかのクリップを含む。そのカバーは十分に適切な位置に保持されるが、そのカバーとディスクを読取装置に適切に置くことがしばしば困難となり、オートマチック・フィード・リーダ（自動供給リーダ）に挿入された時、しばしば引っかかった, 絡まったりし、誤動作の原因となる。別のカバーは、中央開口周辺の内部部分に位置する２つのサイド・テープを有するシート材を含む。そのテープは、カバーの内部エッジをディスクに付着する。オートマチックＣＤプレーヤのようなオートマチック・フィード・リーダにディスクとカバーを挿入すると、緩みを有するカバーの外側端は装置の入口で係合する。これによりプレーヤは詰まって動かなくなり、そのカバーを折り曲げあるいは、そうでなければ破損し、そして、ディスク上のデータの読み取りができなくなる。
【０００５】
それ故、先行技術に内在する前述あるいは他の欠陥を改善することが極めて好都合である。
【０００６】
従って、光学的読み取りディスクのための新規で改善された保護カバーを提供することが本発明の目的である。
【０００７】
また、本発明の別の目的は、その上に格納されたデータの読み取り中に適切な位置を維持することができる保護カバーを提供することである。
【０００８】
さらに、本発明の別の目的は、本質的にいかなるディスクにも使用することができる保護カバーを提供することである。
【０００９】
また、本発明の別の目的は、容易に装着できかつ交換できる保護カバーを提供することである。
【発明の開示】
【００１０】
簡潔に述べると、本発明の好適な実施例に従って本発明の所望の目的を達成するために、外側端、センター・ホール、外側端とセンター・ホールとの間にある読み取り可能部分を有する表面、および、センター・ホールと読み取り可能部分との間の表面から突き出た突起リングを含む光ディスクが提供される。保護カバーは、取り除くことができるようにディスクの表面をカバーする。保護カバーは、センター・ホールを有するほぼ平坦な本体（ボディ）、外側端とセンター・ホールとの間に伸び、ディスクの表面に対応すると共にそれをカバーするほぼ平坦な環状表面を含む。円周方向の（周辺）係合構造は本体によって移動し、ディスクを係合する。
【００１１】
特定の実施例では、係合構造は、ボディの周辺にほぼ完全に広がるほぼ直立した側壁を含み、内方へ放射状に向かうリップで終了する。別の実施例では、係合構造は、ボディの周辺にほぼ完全に広がる実質的に柔軟な側壁を含み、側壁は内方へ放射状に傾いている。
【００１２】
さらに別の実施例では、円周方向の係合構造は、側壁、および、ボディを包囲し、外側端の近接から放射状に内方へ広がる環状表面によって担持される粘着性リングを含む。あるいは、円周方向の係合構造は、側壁、および、ボディを包囲し、センター・ホールに近接した環状表面によって担持され、放射状に外部に伸びる粘着性リングを含む。
【００１３】
本発明に係る前述および次のさらなる特定の目的および利点は、図面と共に次の好適な実施例の詳細な説明から当業者に明らかになるであろう。
【発明を実施するための最良の形態】
【００１４】
図面を参照して、参照番号はいくつかの図面全体に亘り対応する要素を示すが、まず図１および図２に着目すると、外側端１２、センター・ホール１４、読み取り可能部分１６を具備する表面１５、および表面１５から突き出た突起リング１７を有する光ディスク１０を示す。突起リング１７は、センター・ホール１４を包囲し、読み取り可能部分１６およびセンター・ホール１４の中間に位置する。突起リング１７は、読み取り可能部分１６とセンター・ホール１４との間のどこかに位置するが、その直径は製作者に依存する。ディスク１０の詳細は詳しく述べないが、それらは当技術において周知である。ディスク１０は、実質的にＣＤ、ＤＶＤ、ＣＤ−ＲＯＭ、ミニ・ディスクなどのような任意のタイプの光学的読み取りデジタル・データ・ディスクであると理解される。
【００１５】
さらに図１および図２を参照すると、一般に２０と指定された保護ディスク・カバーは、表面１５を覆うように図示される。カバー２０は、ほぼ平坦なボディ２１、周辺の係合構造２２およびセンター・ホール２３を含む。ボディ２１は、構造２２とセンター・ホール２３との間に広がるほぼ平坦な環状表面２４を含む。表面２４は、ディスク１０の表面１５に対応し、かつそれをカバーする。センター・ホール２３はディスク１０のセンター・ホール１４ときっちり対応して形成されるが、わずかの変動は生じ得る。図４および図５を付加的に参照すると、溝２５は、センター・ホール２３に近接しかつ取り囲むように表面２４中に形成され、ディスク１０の突起リング１７を受け入れる。溝２５は、様々な直径の突起リングを受け入れるのに十分な幅を有するとともに、読み取り可能部分１６の手前にある溝２５の外側端を有し、光ディスク上の突起リングの直径に存在する一連の変動に適応できる特徴を提供する。
【００１６】
さらに図３を付加的に参照し、図１および図２を参照すると、周辺係合構造２２は、ボディ２１からおよびそれに対してほぼ垂直に伸び、内方へ放射状に向けられたリップ２８で終端する側壁２６を含む。側壁２６およびリップ２８は、ボディ２１のほぼ全周囲にわたり伸びる。側壁２６は、ディスク１０の厚さとほぼ同一の高さである。このように、カバー２０は、ディスク１０をその周囲でほぼ完全に噛み合わせるリップ２８でディスク１０の読み取り可能側面をパチンと留めることができる。係合構造２２および／またはボディ２１は、その構造の一時的な変形を許容し、かつリップ２８がディスクの縁に係合することができる程度に十分に柔軟である。
【００１７】
さて、図６に移り、一般に３０と指定されている保護ディスク・カバーの別の実施例が、ディスク１０の表面１５を覆うように図示される。カバー３０は、ほぼ平坦なボディ３１、外側端３２およびセンター・ホール３３を含む。ボディ３１は、外側端３２とセンター・ホール３３の間に広がるほぼ平坦な環状表面３４を含む。表面３４は、ディスク１０の表面１５に対応するとともに、それをカバーする。センター・ホール３３は、ディスク１０の突起リング１７を受け入れるために係合される。センター・ホール３３は、様々な直径の突起リングを受け入れるのに十分な幅を有するとともに、読み取り可能部分１６の手前にあるセンター・ホール３３のエッジ３５を有し、光ディスク上の突起リングの直径に存在する一連の変動に適応できる特徴を提供する。
【００１８】
さらに図６を参照して、周辺係合構造３７も保護カバー３０とともに提供される。この実施例では、構造３７は、カバー３０を包囲する外側端３２によって担持され、読み取り可能部分１６に近接した位置に内方へ放射状に広がる粘着性リングである。外側端を接合することにより、埃や水分等が外側端を通して進入するのを防止する。構造２２に類似する構造がディスクに対する位置決めの役割をするために含め得ることが理解されるであろう。
【００１９】
さて、図７に移って、周辺係合構造３８の別の実施例が使用される。この実施例では、構造３８は、センター・ホール３３の回りのエッジ３５によって担持され、読み取り可能部分１６に近接した位置に外方へ放射状に及ぶ粘着性リングである。構造３８の粘着性リングは、突起リング１７から外へ放射状にディスク１０に付着される。これは、様々な要素の歪みを防ぐ。構造３７および構造３８の両方の使用が考えられ、読み取り可能部分１６をあらゆる外界の状態から保護する。構造２２に類似する構造がディスクに対する位置決めの役割をするために含め得ることが理解される。
【００２０】
図８を参照すると、周辺係合構造４０の別の実施例がさらに使用される。この実施例では、構造４０は、ボディ３１からおよびそれに対してほぼ垂直に伸び、内方へ放射状に向けられたリップ４８で終端する側壁４６を含む。フランジ４９は、側壁４６のベースから垂直に放射状に内へ伸び、ボディ３１をその上に受け入れる。ボディ３１はフランジ４９を覆い、それによりフランジ４９は外側端３２に係合し、ディスク１０が適切に位置するとき、読み取り可能部分１６の終わりの位置まで内方へ放射状に広がる。側壁４６およびリップ４８は、ボディ３１のほぼ全周囲にわたり広がる。側壁４６は、ディスク１０の厚さとほぼ同一の高さである。このように、カバー２０は、ディスク１０をその周囲でほぼ完全に噛み合わせるリップ４８でディスク１０の読み取り可能側面をパチンと留めることができる。
【００２１】
さて、図９を参照すると、一般に２０’と指定されている保護ディスク・カバーの別の実施例が図示される。カバー２０’の要素は、概してカバー２０と同じ要素を含んでおり、したがって、詳細には説明されない。参照される要素は「’」等のアクセント符号で指定される。カバー２０’はボディ２１’および係合構造２２’を含む。カバー２０’はカバー２０と異なり、単一構造である代わりに、ボディ２１’が平面なシート材料で形成され、それに係合構造２２’が接合され、オーバモールド（overmolding）され、あるいは溶接されるなどが施される。この実施例では、構造２２’は、ボディ２１’からおよびそれに対してほぼ垂直に伸び、内方へ放射状に向けられたリップ２８’で終端する側壁２６’を含む。切り目（ノッチ）２９は側壁２６’の基体（ベース）に設けられ、そこにボディ２１’の外側端を受け入れさせる。構造２２’をボディ２１’へオーバモールドすることによって、２つの異なる材料、例えばＴＰＥ、Ｓａｎｅｐｒｅｎｅ、または他の柔軟でわずかにエラストマーな（弾性的な）材料が各々に対し使用され、それはボディ２１’のために透明である必要はなく、また、ポリカーボネートである必要もなく、あるいは他のより硬質な透明材料である必要もない。構造２２’およびボディ２１’の間の接合形状は、より強い結合を提供するボンディング表面を増加させるために必要な限り変更することができる。
【００２２】
図１０および図１１に移り、図１０は、一般に２０”と指定されたカバーの別の実施例を示すが、構造２２”をボディ２１”にオーバモールドする平坦なシート材料を示す。この実施例では、構造２２”はＴＰＥから形成され、より大きな表面保持エリアを提供するためのまるみを有する厚くなったベースを含む。図示されるように、構造２２”は、本質的にリップのない側壁２６”だけを含む。オーバモールド・プロセスおよびそのオーバモールドからそのカバーを突き出した後、図１１に見られるように、側壁２６”は縮み、内側へ放射状に引き出される。構造２２”の柔軟な性質により、ディスクはボディ２１”に重なる位置へ挿入されることを可能にする一方、側壁２６”の内方へのまがりがディスクを適切な位置に係合させかつ保持させるであろう。
【００２３】
図示する目的でここに選択された実施例に対する様々な変更および修正が、当業者には容易に想到するであろう。そのような修正および変形は本発明の精神から逸脱しない範囲で、それらは本発明の範囲に含められることが意図されるとともに、請求項の公正な解釈によってのみ評価される。
【００２４】
本発明は、当業者が同じものを理解しかつ実施できるように明確かつ簡潔な用語で完全に説明された。
【図面の簡単な説明】
【００２５】
【図１】本発明による、ディスクおよび保護ディスク・カバーの斜視断面分解図である。
【図２】図１のディスクおよびディスク・カバーの斜視分解図である。
【図３】図１および図２のディスク・カバーの拡大した部分断面図である。
【図４】ディスクおよびディスク・カバーの中央部の拡大した部分断面図である。
【図５】ディスク・カバーの中央部の拡大した部分断面図である。
【図６】本発明による、ディスクの分解図、および、ディスク・カバーの別の実施例である。
【図７】本発明による、ディスクの分解図、および、ディスク・カバーの別の実施例である。
【図８】本発明による、ディスクの分解図、および、ディスク・カバーのさらに別の実施例である。
【図９】ディスク・カバーの係合構造の別の実施例を拡大した部分断面を示す側面図である。
【図１０】成形中に現れるディスク・カバーの係合構造の別の実施例を拡大した部分断面を示す側面図である。
【図１１】鋳型が取り除かれ、内方へ引かれた側壁が現れる、図１０の係合構造の拡大した部分断面を示す側面図である。
【図１】
2005531878.tif 000003
【図２】
2005531878.tif 000004
【図３】
2005531878.tif 000005
【図４】
2005531878.tif 000006
【図５】
2005531878.tif 000007
【図６】
2005531878.tif 000008
【図７】
2005531878.tif 000009
【図８】
2005531878.tif 000010
【図９】
2005531878.tif 000011
【図１０】
2005531878.tif 000012
【図１１】
2005531878.tif 000013
【国際調査報告】
2005531878.tif 000014